(57)【要約】  本発明は、ヘアパウダー自動ディスペンサーに関するもので、ハウジング１００、前記ハウジング１００の内部に設けられ、ヘアパウダーを収容するカートリッジ２００、前記ハウジング１００の内部に前記カートリッジ２００と連通するように設けられる送風ファンユニット４００、及び、前記ハウジング１００の内部に設けられ、前記送風ファンユニット４００に電源を供給するバッテリ５００を含み、前記カートリッジ２００の内部には、前記送風ファンユニット４００から供給される空気の流れ方向が異なる少なくとも２つの流動管が設けられ、カートリッジ内のヘアパウダーを効率的に分散させて排出を容易かつ均一に行うことができるという効果を奏する。【選択図】図３
2019506907.tif 000002
【特許請求の範囲】
【請求項１】
ハウジング１００；
前記ハウジング１００の内部に設けられ、ヘアパウダーを収容するカートリッジ２００；
前記ハウジング１００の内部に、前記カートリッジ２００と連通するように設けられる送風ファンユニット４００；及び
前記ハウジング１００の内部に設けられ、前記送風ファンユニット４００に電源を供給するバッテリ５００；を含み、
前記カートリッジ２００の内部には、前記送風ファンユニット４００から供給される空気の流れ方向が異なる少なくとも２つの流動管が設けられる、ヘアパウダー自動ディスペンサー。
【請求項２】
前記少なくとも２つの流動管は、前記カートリッジ２００の内部において、底面から上に向かって突出した第１の流動管２１０と、当該第１の流動管２１０と離間して設けられた第２の流動管２２０とを含む、請求項１に記載のヘアパウダー自動ディスペンサー。
【請求項３】
前記第１の流動管２１０の上部には、空気の流れを変える折り曲げ部２１１が設けられる、請求項２に記載のヘアパウダー自動ディスペンサー。
【請求項４】
前記送風ファンユニット４００から前記第１の流動管２１０へ流入された空気が、前記折り曲げ部２１１によって前記第２の流動管２２０側に向かって流れの方向が変えられる、請求項３に記載のヘアパウダー自動ディスペンサー。
【請求項５】
前記第１の流動管２１０及び前記第２の流動管２２０から排出された空気によってヘアパウダーが上部に流動し、前記第２の流動管２２０側の上部に傾斜した斜面に沿って、排出コネクタ３３０側に案内される、請求項４に記載のヘアパウダー自動ディスペンサー。
【請求項６】
前記送風ファンユニット４００は、送風ファン４２０と、当該送風ファン４２０と連通する少なくとも２つの供給管とを含み、
前記少なくとも２つの供給管は、前記カートリッジ２００と連通する、請求項１に記載のヘアパウダー自動ディスペンサー。
【請求項７】
前記送風ファンユニット４００の少なくとも２つの供給管は、前記少なくとも２つの流動管にそれぞれ連通する、請求項６に記載のヘアパウダー自動ディスペンサー。
【請求項８】
前記送風ファンユニット４００の少なくとも２つの供給管は、前記カートリッジ２００の内部と連通する第１の供給管４３０と、第２の供給管４４０とを含む、請求項７に記載のヘアパウダー自動ディスペンサー。
【請求項９】
前記送風ファン４２０は、上部送風口４２１と下部送風口４２２とから構成され、
前記上部送風口４２１は、前記第１の供給管４３０と連通し、前記下部送風口４２２は、前記第２の供給管４４０と連通する、請求項８に記載のヘアパウダー自動ディスペンサー。
【請求項１０】
前記送風ファンユニット４００の第１の供給管４３０は、前記カートリッジ２００の第１の流動管２１０と連通し、前記送風ファンユニット４００の前記第２の供給管４４０は、前記カートリッジ２００の前記第２の流動管２２０と連通する、請求項９に記載のヘアパウダー自動ディスペンサー。
【請求項１１】
前記送風ファンユニット４００の第１の供給管４３０は、前記カートリッジ２００の第２の流動管２２０と連通し、前記送風ファンユニット４００の前記第２の供給管４４０は、前記カートリッジ２００の前記第１の流動管２１０と連通する、請求項９に記載のヘアパウダー自動ディスペンサー。
【請求項１２】
前記排出コネクタ３００の下部には、ボール３２０を収納するホールダー３１０が設けられる、請求項１に記載のヘアパウダー自動ディスペンサー。
【請求項１３】
前記ボール３２０は、前記ホールダー３１０の内部において、カートリッジの上下に移動可能であり、最下部に位置する場合、ホールダーの下部によって支持され、最上部に位置する場合、ヘアパウダーの流動が生じないように排出コネクタ３００を塞ぐ、請求項１２に記載のヘアパウダー自動ディスペンサー。
【請求項１４】
前記ハウジング１００は、本体１２０と、当該本体１２０の前方に設けられる前面カバー１１０とを含み、
前記前面カバー１１０には、外部空気が吸入される吸入口１１１と、前記カートリッジ２００内のヘアパウダーを外部に排出する排出口１１２とが設けられる、請求項１に記載のヘアパウダー自動ディスペンサー。
【請求項１５】
前記カートリッジ２００の上部には、排出コネクタ３００が連通するように設けられ、当該排出コネクタ３００は、前記排出口１１２と連通する、請求項１４に記載のヘアパウダー自動ディスペンサー。
【発明の詳細な説明】
【技術分野】
【０００１】
本発明は、ヘアパウダーディスペンサーに関し、特に、ヘアパウダーの排出及び塗布を便利に行うことができると共にパウダーの飛散によるロスを最小化することができる、ヘアパウダー自動ディスペンサーに関する。
【背景技術】
【０００２】
脱毛は、過去中高年層の専有物で思われたが、現在は、各種ストレス、環境汚染、インスタント食品の摂取などのような原因で、２０〜３０代の若年性脱毛症が顕著に増加している。
【０００３】
それで、国内外を問わず、西洋医学及び東洋医学に基づく多様な脱毛防止剤や発毛剤が開発されているが、現在販売されている製品は、その効果が十分でなく、又は、効果はあるが身体的副作用が生じるという問題がある。
【０００４】
最近、化粧と類似した技法を用いて、薄毛又は細い抜け毛による露出頭皮に、黒色の粉末を振り掛けてカバーする、いわゆる「黒彩」と呼ばれるヘアパウダーが開発及び使用されている。
【０００５】
このような黒彩は、貯蔵容器に粉末状に貯蔵されている状態で、上面に形成された多数の孔を介して外部に排出され、頭部に塗布される。即ち、貯蔵容器を手に握って振り掛けているため、ヘアパウダーを頭部の特定の部分に正確に振り掛けることが難しく、また、パウダーの飛散発生によるロスの問題がある。
【０００６】
このような問題点を解決するため、本発明の発明者は、韓国登録特許第１０−１４６３７１８号及び第１０−１５２６１７４号において、ヘアパウダーの塗布を便利に行うことができると共にヘアパウダーの飛散を最小化することができる、ヘアパウダー自動ディスペンサーを提案している。
【０００７】
しかし、このようなヘアパウダー自動ディスペンサーでは、カートリッジ内のヘアパウダーを分散させて排出する際、均一に排出し難いという問題がある。
【先行技術文献】
【特許文献】
【０００８】
【特許文献１】韓国登録特許第１０−１４６３７１８号（２０１４．１１．２６．公告）
【特許文献２】韓国登録特許第１０−１５２６１７４号（２０１５．０６．１０．公告）
【発明の概要】
【発明が解決しようとする課題】
【０００９】
本発明は、上述のような従来技術の問題点を解決するために案出されたものであって、本発明の目的は、カートリッジ内のヘアパウダーを効率的に分散させて排出を容易にかつ均一に行うことができるヘアパウダー自動ディスペンサーを提供することにある。
【００１０】
また、本発明の目的は、ヘアパウダーの吐出を希望しない場合、ヘアパウダーが無駄に吐き出されるのを防止することができるヘアパウダー自動ディスペンサーを提供することにある。
【課題を解決するための手段】
【００１１】
上述のような課題を解決するための本発明に係るヘアパウダー自動ディスペンサーは、ハウジング、前記ハウジングの内部に設けられ、ヘアパウダーを収容するカートリッジ、前記ハウジングの内部に前記カートリッジと連通するように設けられる送風ファンユニット、及び、前記ハウジングの内部に設けられ、前記送風ファンユニットに電源を供給するバッテリを含み、前記カートリッジの内部には、前記送風ファンユニットから供給される空気の流れ方向が異なる少なくとも２つの流動管が設けられている。
【００１２】
前記少なくとも２つの流動管は、前記カートリッジの内部において、底面から上に向かって突出した第１の流動管と、当該第１の流動管と離間して設けられた第２の流動管とを含むことができる。
【００１３】
また、前記第１の流動管の上部には、空気の流れを変える折り曲げ部が設けられ、前記送風ファンユニットから前記第１の流動管へ流入された空気が、前記折り曲げ部によって前記第２の流動管側に向かって流れの方向が変えられる。
【００１４】
前記第１の流動管及び前記第２の流動管から排出された空気によってヘアパウダーが上部に流動し、前記第２の流動管側の上部に傾斜した斜面に沿って、排出コネクタ側に案内される。
【００１５】
前記送風ファンユニットは、送風ファンと、当該送風ファンと連通する少なくとも２つの供給管とを含み、前記少なくとも２つの供給管は、前記カートリッジと連通する。なお、前記送風ファンユニットの少なくとも２つの供給管は、前記少なくとも２つの流動管にそれぞれ連通する。
【００１６】
また、前記送風ファンユニットの少なくとも２つの供給管は、前記カートリッジの内部と連通する第１の供給管と、第２の供給管とを含む。
【００１７】
また、前記送風ファンは、上部送風口と下部送風口とから構成され、前記上部送風口は、前記第１の供給管と連通し、前記下部送風口は、前記第２の供給管と連通することができる。
【００１８】
また、前記送風ファンユニットの第１の供給管は、前記カートリッジの第１の流動管と連通し、前記送風ファンユニットの前記第２の供給管は、前記カートリッジの前記第２の流動管と連通する。又は、前記送風ファンユニットの第１の供給管は、前記カートリッジの第２の流動管と連通し、前記送風ファンユニットの前記第２の供給管は、前記カートリッジの前記第１の流動管と連通する。
【００１９】
また、前記排出コネクタの下部には、ボールを収納するホールダーが設けられる。なお、前記ボールは、前記ホールダーの内部においてカートリッジの上下に移動可能であり、最下部に位置する場合、ホールダーの下部によって支持され、最上部に位置する場合、ヘアパウダーの流動が生じないように排出コネクタを塞ぐ。
【００２０】
また、前記ハウジングは、本体と、当該本体の前方に設けられる前面カバーとを含み、前記前面カバーには、外部空気が吸入される吸入口と、前記カートリッジ内のヘアパウダーを外部に排出する排出口とが設けられる。
【００２１】
また、前記カートリッジの上部には、排出コネクタが連通するように設けられ、当該排出コネクタは、前記排出口と連通する。
【発明の効果】
【００２２】
上述のような構成を有する本発明のヘアパウダー自動ディスペンサーは、カートリッジ内部に空気の流れが異なる少なくとも２つの流動管が配設されているため、カートリッジ内のヘアパウダーを効率的に分散させて排出を容易にかつ均一に行うことができるという効果が得られる。
【００２３】
また、本発明のヘアパウダー自動ディスペンサーによれば、ヘアパウダーの吐出を希望しない場合、ヘアパウダーが無駄に吐き出されるのを防止できるという効果が得られる。
【図面の簡単な説明】
【００２４】
【図１】本発明に係るヘアパウダー自動ディスペンサーを示す斜視図である。
【図２】図１のヘアパウダー自動ディスペンサーの分解斜視図である。
【図３】図１のヘアパウダー自動ディスペンサーの断面図である。
【図４】本発明に係るヘアパウダー自動ディスペンサーのカートリッジの分解斜視図である。
【図５】本発明に係るヘアパウダー自動ディスペンサーのカートリッジの断面図である。
【図６】図５のＡ−Ａ’線に沿った断面図である。
【図７】図５のカートリッジが傾斜した状態を示す図である。
【発明を実施するための形態】
【００２５】
以下、本発明に係るヘアパウダー自動ディスペンサーの実施例を、図１乃至図７を参照して詳述する。
【００２６】
本発明に係るヘアパウダー自動ディスペンサーは、ハウジング１００、当該ハウジング１００の内部上側に設けられるカートリッジ２００、前記ハウジング１００の内部中間に設けられる送風ファンユニット４００、前記ハウジング１００の内部下側に設けられるバッテリ５００を含む。
【００２７】
前記ハウジング１００は、ヘアパウダー自動ディスペンサーの外形をなすものであって、前記カートリッジ２００、送風ファンユニット４００、バッテリ５００などを内蔵する。このようなハウジング１００は、前面カバー１１０と、当該前面カバー１１０が前方に設けられる本体１２０と、当該本体１２０の上部に設けられる開閉カバー１３０とから構成される。
【００２８】
前記本体１２０は、前記ハウジング１００の骨組みとしての役割を果たすものであって、前記カートリッジ２００、送風ファンユニット４００及びバッテリ５００の設置空間を提供する。前記本体１２０は、後方中央部に操作ボタン１２１を備えている（図３参照）。前記操作ボタン１２１によって、前記バッテリ５００から前記送風ファンユニット４００に電源を供給又は遮断する。
【００２９】
前記前面カバー１１０は、中央に吸入口１１１が設けられ、上端に排出口１１２が設けられている。前記吸入口１１１は、外部の空気が吸入される部分であって、前記送風ファンユニット４００の作動時に、送風ファンユニット４００の吸入力によって、外部空気が吸入口１１１に流入される。前記排出口１１２は、前方に向かって前記前面カバー１１０の上端に形成されるものであって、当該排出口１１２を介してカートリッジ２００内のヘアパウダーが外部に排出される。
【００３０】
前記カートリッジ２００は、前記ハウジング１００の内部上側に設けられるが、カートリッジ２００の上部は、排出コネクタ３３０と連通し、当該排出コネクタ３００は、排出口１１２と連通する。前記カートリッジ２００の下部は、送風ファンユニット４００と連通する。従って、前記吸入口１１１に流入された外部空気は、前記送風ファンユニット４００を経て流動し、前記カートリッジ２００の内部に流入され、カートリッジ２００の内部に流入された外部空気は、ヘアパウダーと共に上部に流動し、前記排出コネクタ３００を介して前記排出口１１２に排出される。
【００３１】
前記開閉カバー１３０は、前記本体１２０の上側に着脱可能に設けられるものであって、前記カートリッジ２００が外部に露出されるのを防止する。
【００３２】
前記カートリッジ２００は、内部空間にヘアパウダーを保管するものであって、前記ハウジング１００の本体１２０の上側後方から着脱可能に取り付けられる。このようなカートリッジ２００は、内部下部には、底面から上に向かって突出した第１の流動管２１０と、当該第１の流動管２１０と離間して設けられる第２の流動管２２０が備えられている。
【００３３】
前記第１の流動管２１０の上部には、空気の流れを変える折り曲げ部２１１が設けられている。前記送風ファンユニット４００から前記第１の流動管に流入された空気が、前記折り曲げ部２１１によって、前記第２の流動管２２０側に向かって流れの方向が変化するようになる。
【００３４】
前記第２の流動管２２０の上端には、逆止弁２２１が設けられ、前記送風ファンユニット４００から流入された空気が、一方向、即ち、上方にのみ噴射されるようになる。前記第２の流動管２２０に供給された空気は、カートリッジ２２０内の底面から積み重なっているヘアパウダーを分散させ、流動し易い状態に活性化させる。
【００３５】
前記送風ファンユニット４００は、前記ハウジング１００の内部中間に設けられ、前記吸入口１１１を介して外部の空気を吸入した後、前記カートリッジ２００の内部に空気を供給し、カートリッジ２００の内部に貯蔵されているヘアパウダーが、前記排出口１１２を介して外部に排出されるようになる。
【００３６】
より詳しくは、前記送風ファンユニット４００は、モーター４１０と、当該モーター４１０のモーター軸に設けられる送風ファン４２０と、前記カートリッジ２００の内部と連通する第１の供給管４３０及び第２の供給管４４０とから構成される。前記モーター４１０は、前記バッテリ５００から電源を供給されて作動する。前記送風ファン４２０は、上部送風口４２１と下部送風口４２２とから構成される。上部送風口４２１は、前記第１の供給管４３０と連通し、当該第１の供給管４３０は、前記カートリッジ２００の第１の流動管２１０と連通する。下部送風口４２２は、前記第２の供給管４４０と連通し、当該第２の供給管４４０は、前記カートリッジ２００の第２の流動管２００と連通する。ここで、前記第１の供給管４３０が、前記第２の流動管２２０に連通し、前記第２の供給管４４０が前記第１の流動管２１０に連通するような構造をとることもできる。なお、図３に示される実施例では、送風ファンユニット４００から空気を供給される流動管が２つであるが、３つ以上を備えることもできる。
【００３７】
前記送風ファン４２０は、モーター４１０に電源が供給されると、モーター軸と共に回転することで、前記吸入口１１１から外部空気を吸入する。このように送風ファン４２０により吸入された外部空気は、前記上部送風口４２１の回転によって前記第１の供給管４３０に流動し、前記カートリッジ２００の第１の流動管２１０を介してカートリッジ２００の内部に供給され、前記下部送風口４２２の回転によって前記第２の供給管４４０に流動し、前記カートリッジ２００の第２の流動間２２０を介してカートリッジ２００の内部に供給される。
【００３８】
以下、図３及び図４に示される実施例を参照して、カートリッジ２００内のヘアパウダーが分散されて均一に排出される原理について説明する。
【００３９】
前記送風ファンユニット４００の第１の供給管４３０及び第２の供給管４４０から、前記カートリッジ２００の下部に設けられた第１の流動管２１０及び第２の流動管２２０を介して、空気がカートリッジ２００の内部に供給される。なお、前記第１の流動管２１０及び前記第２の流動管２２０は、それぞれカートリッジ２００の底面から一定の高さまで突出している。前記第２の流動管２２０に供給された空気は、カートリッジ２００内部の底面から積み重なっているヘアパウダーを分散させることで流動し易い状態に活性化させる。このように活性化されたヘアパウダーは、前記第１の流動管２１０に供給された空気によって容易に排出される。即ち、前記送風ファンユニット４００の第１の供給管４３０から前記第１の流動管に流入された空気が、前記折り曲げ部２１１によって前記第２の流動管２００側に向かって排出され、前記第２の流動管２２０から排出された空気によって活性化されたヘアパウダーが、カートリッジの上部に流動し、外部に排出される。カートリッジの上部に流動するヘアパウダーは、前記第２の流動管２２０側の上部に傾斜した斜面に沿って排出コネクタ３００側に案内され、排出口１１２を介して外部に排出される。
【００４０】
上述のように、カートリッジ２００の内部空間に積み重なっているヘアパウダーを、第２の流動管２００から排出された空気によって一次的に分散させた後、第１の流動管２１０から供給された空気によって二次的に上部に流動させて外部に排出させると、排出が容易にかつ均一に行われる。
【００４１】
一方、カートリッジ２００の交換又は必要に応じてカートリッジ２００を傾斜させる場合は、傾斜したカートリッジ２００内のヘアパウダーが排出コネクタ３００から不必要に排出されることがあり得る。このため、本発明に係るヘアパウダー自動ディスペンサーでは、ヘアパウダーが排出される程度にカートリッジが傾斜した場合、排出コネクタ３００を塞いでヘアパウダーが排出されるのを防止するためのボール３２０を排出コネクタ３００の内部に設けることができる。
【００４２】
以下、図４乃至図７を参照して、排出コネクタ３００内部に設けられるボール３２０によってヘアパウダーの排出を防止する原理について説明する。図４は、本発明に係るヘアパウダー自動ディスペンサーのカートリッジの分解斜視図、図５は、本発明に係るヘアパウダー自動ディスペンサーのカートリッジの断面図、図６は、図５のＡ−Ａ’線に沿った断面図、図７は、図５のカートリッジが傾斜した状態を示す図である。
【００４３】
図４に示されるように、カートリッジ２００の上部に位置する排出コネクト３００の下部には、ボール３２０を収納するホールダー３１０が設けられている。当該ホールダー３１０の内部に収納されたボール３２０は、ホールダー３１０の内部においてカートリッジの上下に移動可能であり、最下部に位置する場合、ホールダーの下部によって支持され、最上部に位置する場合、ヘアパウダーの流動が生じないように排出コネクタ３００を塞ぐ。
【００４４】
図５及び図６に示されるように、カートリッジが傾斜していない状態又はわずかに傾斜した状態でヘアパウダーを吐き出す場合、ボール３２０がホールダー３１０の下方に位置しているため、ヘアパウダーの吐出を妨害しない。図６は、図５のＡ−Ａ’線に沿った断面を示すもので、ボール３２０がホールダー３１０に収容されている様子を上から見た図である。カートリッジ２００が傾斜していない状態では、ボール３２０がホールダー３１０の下方に位置し、ホールダー３１０の外側空間を介してヘアパウダーが外部に吐き出されるようになる。
【００４５】
しかし、必要によってカートリッジが大きく傾斜した場合は、図７に示されるように、ボール３２０が排出コネクタ３００の上部に移動して排出コネクタ３００を塞ぐことで、ヘアパウダーの吐出が行われなくなる。
【００４６】
上述のように、本発明に係るヘアパウダー自動ディスペンサーでは、カートリッジ内部のヘアパウダーを効率的に分散させて排出が容易にかつ均一に行われるという効果に加え、ヘアパウダーの吐出を希望しない場合、ヘアパウダーが無駄に吐き出されるのを効率的に防止できるという効果が得られる。
【符号の説明】
【００４７】
１００：ハウジング、１１０：前面カバー、１１１：吸入口、１１２：排出口、１２０：本体、１２１：操作ボタン、１３０：開閉カバー、２００：カートリッジ、２１０：第１の流動管、２１１：折り曲げ部、２２０：第２の流動管、２２１：逆止弁、３００：排出コネクタ、３１０：ホールダー、３２０：ボール、４００：送風ファンユニット、４１０：モーター、４２０：送風ファン、４２１：上部送風口、４２２：下部送風口、４３０：第１の供給管、４４０：第２の供給管、５００：バッテリ。
【図１】
2019506907.tif 000003
【図２】
2019506907.tif 000004
【図３】
2019506907.tif 000005
【図４】
2019506907.tif 000006
【図５】
2019506907.tif 000007
【図６】
2019506907.tif 000008
【図７】
2019506907.tif 000009
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ハウジング１００；
前記ハウジング１００の内部に設けられ、ヘアパウダーを収容するカートリッジ２００；
前記ハウジング１００の内部に、前記カートリッジ２００と連通するように設けられる送風ファンユニット４００；及び
前記ハウジング１００の内部に設けられ、前記送風ファンユニット４００に電源を供給するバッテリ５００；を含み、
前記カートリッジ２００の内部には、前記送風ファンユニット４００から供給される空気の流れ方向が異なる少なくとも２つの流動管が設けられ、
前記少なくとも２つの流動管は、前記カートリッジ２００の内部において、底面から上に向かって突出した第１の流動管２１０と、当該第１の流動管２１０と離間して設けられた第２の流動管２２０とを含み、
前記第１の流動管２１０の上部には、空気の流れを変える折り曲げ部２１１が設けられる、ヘアパウダー自動ディスペンサー。
【請求項２】
前記送風ファンユニット４００から前記第１の流動管２１０へ流入された空気が、前記折り曲げ部２１１によって前記第２の流動管２２０側に向かって流れの方向が変えられる、請求項１に記載のヘアパウダー自動ディスペンサー。
【請求項３】
前記第１の流動管２１０及び前記第２の流動管２２０から排出された空気によってヘアパウダーが上部に流動し、前記第２の流動管２２０側の上部に傾斜した斜面に沿って、排出コネクタ３００側に案内される、請求項２に記載のヘアパウダー自動ディスペンサー。
【請求項４】
前記送風ファンユニット４００は、送風ファン４２０と、当該送風ファン４２０に連通する少なくとも２つの供給管とを含み、
前記少なくとも２つの供給管は、前記カートリッジ２００と連通する、請求項１に記載のヘアパウダー自動ディスペンサー。
【請求項５】
前記送風ファンユニット４００の少なくとも２つの供給管は、前記少なくとも２つの流動管にそれぞれ連通する、請求項４に記載のヘアパウダー自動ディスペンサー。
【請求項６】
前記送風ファンユニット４００の少なくとも２つの供給管は、前記カートリッジ２００の内部と連通する第１の供給管４３０と、第２の供給管４４０とを含む、請求項５に記載のヘアパウダー自動ディスペンサー。
【請求項７】
前記送風ファン４２０は、上部送風口４２１と下部送風口４２２とから構成され、
前記上部送風口４２１は、前記第１の供給管４３０と連通し、前記下部送風口４２２は、前記第２の供給管４４０と連通する、請求項６に記載のヘアパウダー自動ディスペンサー。
【請求項８】
前記送風ファンユニット４００の第１の供給管４３０は、前記カートリッジ２００の第１の流動管２１０と連通し、前記送風ファンユニット４００の前記第２の供給管４４０は、前記カートリッジ２００の第２の流動管２２０と連通する、請求項７に記載のヘアパウダー自動ディスペンサー。
【請求項９】
前記送風ファンユニット４００の第１の供給管４３０は、前記カートリッジ２００の第２の流動管２２０と連通し、前記送風ファンユニット４００の前記第２の供給管４４０は、前記カートリッジ２００の第１の流動管２１０と連通する、請求項７に記載のヘアパウダー自動ディスペンサー。
【請求項１０】
前記カートリッジ２００の上部には、排出コネクタ３００が連通するように設けられ、
前記排出コネクタ３００の下部には、ボール３２０を収納するホールダー３１０が設けられる、請求項１に記載のヘアパウダー自動ディスペンサー。
【請求項１１】
前記ボール３２０は、前記ホールダー３１０の内部において、カートリッジの上下に移動可能であり、最下部に位置する場合、ホールダーの下部によって支持され、最上部に位置する場合、ヘアパウダーの流動が生じないように前記排出コネクタ３００を塞ぐ、請求項１０に記載のヘアパウダー自動ディスペンサー。
【請求項１２】
前記ハウジング１００は、本体１２０と、当該本体１２０の前方に設けられる前面カバー１１０とを含み、
前記前面カバー１１０には、外部空気が吸入される吸入口１１１と、前記カートリッジ２００内のヘアパウダーを外部に排出する排出口１１２とが設けられる、請求項１に記載のヘアパウダー自動ディスペンサー。
【請求項１３】
前記カートリッジ２００の上部には、排出コネクタ３００が連通するように設けられ、当該排出コネクタ３００は、前記排出口１１２と連通する、請求項１２に記載のヘアパウダー自動ディスペンサー。
【国際調査報告】
2019506907.tif 000010
2019506907.tif 000011
2019506907.tif 000012
2019506907.tif 000013